(57)【特許請求の範囲】
【請求項１】
ガスコンロ本体の天面部を構成するトッププレートと、前記トッププレートに配置されたコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設され、ガス量調節手段のガス量調節用駆動部を駆動させて前記コンロバーナの火力を調節するための火力調節レバーとを備えたガスコンロであって、
前記前面パネルは、上端より下端が前方に位置するように傾斜して配設されており、
前記トッププレートの前端が、前記前面パネルの上端より前方で、かつ、前記スリットよりも前方に位置するように構成されているとともに、
前記火力調節レバーは、前記前面パネルの後方側から前記前面パネルの前方側に伸びる前後方向延伸部と、前記前後方向延伸部の後方側から前記ガス量調節手段の前記ガス量調節用駆動部に至る連係用延伸部とを有するレバー本体部と、前記レバー本体部の前記前後方向延伸部の前方側と接続され、前記前面パネルの前面において下方に伸びる垂下部と、前記垂下部の下端部に配設されることで、前記レバー本体部の前記前後方向延伸部より下方であって、かつ、前記スリットより下方に位置する、使用者が手指でつまんで操作するための把持部とを備えており、
前記把持部が前記トッププレートの前記前端よりも前方側に位置するように構成されていること
を特徴とするガスコンロ。
【請求項２】
前記トッププレートが、前記前端または前記前端より後方の位置であって、前記スリットよりも前方の位置に、前記トッププレートの下面よりも下方に突出した下方突出部を備えていることを特徴とする請求項１記載のガスコンロ。
【請求項３】
前記トッププレートの上面を構成する部材の一部が、前記トッププレートの下面よりも下方にまで突出して、前記下方突出部を構成していることを特徴とする請求項２記載のガスコンロ。
【発明の詳細な説明】
【技術分野】
【０００１】
本発明は、ガスコンロに関し、詳しくは、火力調節を行う際に操作される火力調節レバーをガスコンロ本体の前面側に備えたガスコンロに関する。
【背景技術】
【０００２】
ガスコンロとして、近年、火力調節を行う際に操作される火力調節レバーを、ガスコンロ本体の前面に備えたガスコンロが広く市販されるに至っている。
【０００３】
このようなガスコンロの１つに、特許文献１に記載されているように、ガスコンロ本体の天面部を構成するトッププレート上に配設されたコンロバーナと、ガスコンロ本体の前面を構成する前面パネルに形成されたスリットを貫通して、ガスコンロ本体の内側から外側に貫通するように配設された、バーナの火力を調節するための火力調節レバー（火力調節用操作具）を備えたガスコンロがある。
【０００４】
そして、この特許文献１のガスコンロにおいては、使用者がガスコンロの前面側から、火力調節レバー（火力調節用操作具）を操作することにより、コンロバーナの火力の調節が行われる。
【先行技術文献】
【特許文献】
【０００５】
【特許文献１】特開２０１１−２３１９３８号公報
【発明の概要】
【発明が解決しようとする課題】
【０００６】
しかしながら、上述のように構成された特許文献１のガスコンロにおいては、火力調節レバーが、前面パネルに形成されたスリットを貫通して、ガスコンロ本体の内側から外側に貫通するように配設されているため、例えば、調理容器から煮汁が溢れ出たような場合に、溢れ出た煮汁が、パネルに形成されたスリットからガスコンロ本体の内部に浸入して、ガスコンロの故障を引き起こす原因になる場合がある。
【０００７】
また、ガスコンロの高機能化に伴い、ガスコンロ本体の前面を構成する前面パネルに配置される操作部の面積をできるだけ大きくすることが要望されており、そのためには、前面パネルを上端より下端が前方に位置するように傾斜させることが望ましい（操作部が配置される前面パネルの面積を大きくすることができる）が、前面パネルを傾斜させた場合、上述のような煮汁のガスコンロ本体内への浸入が発生しやすくなるという問題点がある。
【０００８】
本発明は、上記課題を解決するものであり、ガスコンロ本体の前面に配置された前面パネルの面積を大きくして、前面パネルに配置される操作部の面積を大きくすることが可能で、かつ、調理容器から溢れた煮汁が、火力調節レバーが貫通するスリットからガスコンロ本体の内部に侵入することを抑制することが可能なガスコンロを提供することを目的とする。
【課題を解決するための手段】
【０００９】
上記の目的を達成するために、本発明のガスコンロは、
ガスコンロ本体の天面部を構成するトッププレートと、前記トッププレートに配置されたコンロバーナと、前記ガスコンロ本体の前面に配置された前面パネルと、前記前面パネルを前後方向に貫通する左右方向に長い横長のスリットと、前記前面パネルの前記スリットを後方から前方に向かって貫通するように配設され、ガス量調節手段のガス量調節用駆動部を駆動させて前記コンロバーナの火力を調節するための火力調節レバーとを備えたガスコンロであって、
前記前面パネルは、上端より下端が前方に位置するように傾斜して配設されており、
前記トッププレートの前端が、前記前面パネルの上端より前方で、かつ、前記スリットよりも前方に位置するように構成されているとともに、
前記火力調節レバーは、前記前面パネルの後方側から前記前面パネルの前方側に伸びる前後方向延伸部と、前記前後方向延伸部の後方側から前記ガス量調節手段の前記ガス量調節用駆動部に至る連係用延伸部とを有するレバー本体部と、前記レバー本体部の前記前後方向延伸部の前方側と接続され、前記前面パネルの前面において下方に伸びる垂下部と、前記垂下部の下端部に配設されることで、前記レバー本体部の前記前後方向延伸部より下方であって、かつ、前記スリットより下方に位置する、使用者が手指でつまんで操作するための把持部とを備えており、
前記把持部が前記トッププレートの前記前端よりも前方側に位置するように構成されていること
を特徴としている。
【００１０】
また、本発明のガスコンロにおいては、前記トッププレートが、前記前端または前記前端より後方の位置であって、前記スリットよりも前方の位置に、前記トッププレートの下面よりも下方に突出した下方突出部を備えていることが好ましい。
【００１１】
また、前記トッププレートの上面を構成する部材の一部が、前記トッププレートの下面よりも下方にまで突出して、前記下方突出部を構成していることが好ましい。
【発明の効果】
【００１２】
本発明のガスコンロは、上述のように、ガスコンロ本体の天面部を構成するトッププレートと、トッププレートに配置されたコンロバーナと、ガスコンロ本体の前面に配置された前面パネルと、前面パネルを前後方向に貫通する左右方向に長い横長のスリットと、前面パネルの前記スリットを後方から前方に向かって貫通するように配設され、ガス量調節手段のガス量調節用駆動部を駆動させてコンロバーナの火力を調節するための火力調節レバーとを備えたガスコンロにおいて、前面パネルは、上端より下端が前方に位置するように傾斜して配設され、トッププレートの前端が、前面パネルの上端より前方で、かつ、スリットよりも前方に位置するように構成されているとともに、火力調節レバーは、前面パネルの後方側から前面パネルの前方側に伸びる前後方向延伸部と、前後方向延伸部の後方側からガス量調節手段のガス量調節用駆動部に至る連係用延伸部とを有するレバー本体部と、レバー本体部の前後方向延伸部の前方側と接続され、前面パネルの前面において下方に伸びる垂下部と、垂下部の下端部に配設されることで、レバー本体部の前後方向延伸部より下方であって、かつ、スリットより下方に位置する、使用者が手指でつまんで操作するための把持部とを備えており、把持部がトッププレートの前端よりも前方側に位置するように構成されている。このガスコンロによれば、前面パネルに配置される操作部の面積を大きくすることが可能になるとともに、調理容器から溢れた煮汁が、上記スリットからガスコンロ本体の内部に侵入することを抑制、防止することができるようになる。
【００１３】
すなわち、前面パネルが傾斜しているので、ガスコンロ本体の高さが同じである場合において、前面パネルが垂直に配設されている場合に比べて、前面パネルの面積を大きくすることが可能になり、結果として、前面パネルに配置される操作部の面積を大きくすることが可能になる。
【００１４】
また、トッププレートの前端が、前面パネルの上端より前方で、かつ、スリットよりも前方に位置するように構成されているので、スリットがトッププレートの前端を含む前方側領域によって覆われた状態となり、調理容器から溢れた煮汁が、スリットを経てガスコンロ本体の内部に侵入することを抑制、防止することが可能になる。
【００１５】
また、本発明のガスコンロにおいて、トッププレートが、前端または前端より後方の位置であって、スリットよりも前方の位置に、トッププレートの下面よりも下方に突出した下方突出部を備えた構成とした場合、トッププレートの前端から流下した煮汁が、トッププレートの下面を伝って後方に移動することを阻止することが可能になり、煮汁が前面パネルのスリットからガスコンロ本体の内部に侵入することをより確実に防止することが可能になる。
【００１６】
また、トッププレートの上面を構成する部材の一部が、トッププレートの下面よりも下方にまで突出して、下方突出部を構成するようにした場合には、特別な部材を別途用意することを必要とせずに、トッププレートの前端から流下した煮汁が、トッププレートの下面を伝って後方に移動することを阻止し、前面パネルのスリットからガスコンロ本体の内部に侵入することをさらに確実に防止することが可能になる。
【図面の簡単な説明】
【００１７】
【図１】本発明の実施形態にかかるガスコンロの全体構成を示す斜視図である。
【図２】本発明の一実施形態にかかるガスコンロの要部構成を示す側断面図である。
【図３】本発明の一実施形態にかかるガスコンロの要部構成を示す拡大側断面図である。
【発明を実施するための形態】
【００１８】
以下、本発明の実施形態を示して、その特徴とするところをさらに詳しく説明する。
【００１９】
［実施形態］
この実施形態１にかかるガスコンロ１は、図１〜３に示すように、ガスコンロ本体１０の天面部を構成するトッププレート３０と、トッププレート３０に配置された、２つのコンロバーナ２１，２２を有するコンロ部２ａと、グリル２ｂとを備えたガステーブルコンロである。
【００２０】
また、このガスコンロ１において、ガスコンロ本体１０の前面を構成する前面パネル１１には、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前面パネル１１には電池ケース４２が配設されている。
【００２１】
なお、前面パネル１１は、図２に示すように、下端側が上端側よりも前方に位置する態様で傾斜して配設されている。
【００２２】
そして、点消火ボタン４１を押し操作することにより、ガス弁ユニット（ガス量調節手段）６１の前方に備える弁体制御ロッド６３（図２）が後方に移動して、ガス弁ユニット（ガス量調節手段）６１の内部に備える開閉弁（図示せず）が開弁して、コンロバーナ２１，２２やグリルバーナ（図示せず）に供給される燃料ガスが通流する開弁状態に至るように構成されている。なお、この開弁状態は、ラッチ機構（図示せず）によって維持される。
【００２３】
また、弁体制御ロッド６３（図２）は、スプリング（図示せず）によって前方に付勢されており、開弁状態において、再び点消火ボタン４１（図１、図２）を押し操作すると、弁体制御ロッド６３が後方に移動してラッチ機構によるラッチが解除される。そして、その状態で点消火ボタン４１の押し操作を解除すると、弁体制御ロッド６３がスプリング（図示せず）の付勢力によって前方に移動して、ガス弁ユニット（ガス量調節手段）６１の内部に備える開閉弁（図示せず）が閉弁して、各コンロバーナへの燃料ガスの通流が遮断される閉弁状態に至る。なお、この閉弁状態は、スプリング（図示せず）の付勢力によって維持される。
【００２４】
また、ガスコンロ１は、ガスコンロ本体１０のコンロバーナ２１，２２の火力を調節する火力調節レバー５１，５２およびグリル２ｂを構成するグリルバーナ（図示せず）の火力を調節する火力調節レバー５３を備えている。
【００２５】
また、火力調節レバー５１，５２，５３は、前面パネル１１に設けられた、左右方向に長い横長のスリット１２（図３）を、後方（奥側）から前方（手前側）に向かって貫通するように配設されている。
【００２６】
次に、火力調節レバー５１，５２，５３の構成について説明する。なお、火力調節レバー５１，５２，５３が、いずれも同様の構成を備えていることから、ここでは火力調節レバー５１を例にとってその構成を詳しく説明する。
【００２７】
火力調節レバー５１は、図２，３に示すように、めっき鋼板からなるレバー本体部５１ａと、このレバー本体部５１ａと接続され、前面パネル１１の前面において下方に伸びる垂下部５１ｂと、垂下部５１ｂの下端部に配設された、使用者が手指でつまんで操作するための把持部（レバー操作部）５１ｃとを備えている。なお、図２，３に示すように、レバー本体部５１ａは、前面パネル１１の後方側から前面パネル１１の前方側に伸びる前後方向延伸部５１ａ１と、前後方向延伸部５１ａ１の後方側から、ガス弁ユニット（ガス量調節手段）６１が備えるガス量調節用駆動部であるガス量調節用駆動軸６２に至る連係用延伸部５１ａ２とを有している。
【００２８】
レバー本体部５１ａは、図２に示すように、各コンロバーナに供給される燃料ガスの通流量を制御するガス弁ユニット（ガス量調節手段）６１のガス量調節用駆動部（ガス量調節用駆動軸）６２に係合（接続）されており、火力調節レバー５１を操作することにより、火力調節レバー５１を構成するレバー本体部５１ａも動作し、火力調節が行われるように構成されている。すなわち、ガス量調節用駆動部（ガス量調節用駆動軸）６２を中心として、レバー本体部５１ａを水平面に沿って動作させることで、各コンロバーナに供給される燃料ガスの通流量が増減され、火力の調節が行われるように構成されている。
【００２９】
垂下部５１ｂは、上述のように、下端側が上端側より前方に位置する態様で傾斜して配設された前面パネル１１に沿って、傾斜して下方に延びている部分であり、火力調節を行う際に使用者が手指でつまんで操作する把持部５１ｃを、前面パネル１１に設けられたスリット１２の配設位置から離れた領域（下方）に位置させる機能を果たすものであり、その上端が前記レバー本体部５１ａ、詳しくは、前後方向延伸部５１ａ１の前方側に接続されている。
【００３０】
そして、この実施形態のガスコンロ１においては、図２、図３に示すように、火力調節レバー５１、詳しくは、レバー本体部５１ａの前後方向延伸部５１ａ１を貫通させるスリット１２が前面パネル１１の上方に配置されている。
【００３１】
また、トッププレート３０は、その前端３０ａが前面パネル１１の上端より前方に位置し、スリット１２がトッププレート３０の前端３０ａより後方に位置するように構成されている。
【００３２】
すなわち、この実施形態のガスコンロ１では、前面パネル１１は、上端より下端が前方に位置するように傾斜しているとともに、トッププレート３０の前端３０ａが、前面パネル１１の上端より前方に突出しているとともに、スリット１２を覆うように、スリット１２の位置よりも前方に位置するように構成されている。
【００３３】
また、図３に示すように、トッププレート３０は、その上面を構成する部材（板状部材）１３０の一部が、トッププレート３０の下面３０ｂよりも下方にまで突出することにより形成された下方突出部３１を備えている。
【００３４】
すなわち、この実施形態のガスコンロ１において、下方突出部３１は、トッププレート３０を構成する板状部材１３０の端部を折り返し加工することにより形成されており、トッププレート３０の前端３０ａが、トッププレート３０の下面３０ｂより下方に突出するように構成されている。
【００３５】
なお、下方突出部３１は、スリット１２よりも前方の位置であれば、トッププレート３０の前端３０ａから後方に後退した位置に形成されていてもよい。その場合も、煮汁のガスコンロ本体１０内への侵入を抑制，防止することができる。
【００３６】
この実施形態のガスコンロ１は、上述のように構成されており、前面パネル１１が傾斜して配設されているので、ガスコンロ本体１０の高さが同じである場合において、前面パネル１１が垂直に配設されている場合に比べて、その面積を大きくすることが可能になり、結果として、前面パネル１１に配置される操作部（図示せず）の面積を大きくすることが可能になる。
【００３７】
また、トッププレート３０の前端３０ａが、前面パネル１１の上端より前方で、かつ、スリット１２よりも前方に位置するように構成されているので、スリット１２がトッププレート３０の前端３０ａを含む領域により覆われた状態となり、調理容器から煮汁が溢れ出たような場合にも、溢れ出た煮汁がスリット１２を経てガスコンロ本体１０の内部に侵入することを抑制、防止することが可能になる。
【００３８】
また、この実施形態のガスコンロ１においては、図３に示すように、トッププレート３０が下方突出部３１を備えているので、トッププレート３０の前端３０ａから煮汁が流下した場合にも，流下した煮汁が、トッププレート３０の下面３０ｂを伝って後方に移動することを阻止し、前面パネル１１のスリット１２からガスコンロ本体１０の内部に侵入することを確実に防止することが可能になる。
【００３９】
また、下方突出部３１がトッププレートの上面を構成する板状部材１３０の一部が、下方突出部３１を構成するようにしているので、特別な部材を用いることを必要とせずに、トッププレート３０の前端３０ａから流下した煮汁が、トッププレート３０の下面を伝って後方に移動し、前面パネル１１のスリット１２からガスコンロ本体１０の内部に侵入することを確実に防止することが可能で，コストの増大を招くこともない。
【００４０】
なお、本発明において、トッププレート３０の下面３０ｂよりも下方に突出した下方突出部３１を備えることは、任意の構成であって必須の要件ではなく、下方突出部３１を備えていない構成とすることも可能である。その場合にも、前面パネル１１に配置される操作部（図示せず）の面積を大きくし、かつ、スリット１２をトッププレート３０の前端３０ａを含む領域により覆って、調理容器から溢れ出た煮汁のスリット１２からの侵入をすること抑制する、という本発明の基本的な効果を得ることができる。
【００４１】
本発明はさらにその他の点においても上記実施形態に限定されるものではなく、前面パネルの傾きの態様、スリットの具体的な形状、トッププレートの前端とスリットとの位置関係、下方突出部の具体的な構成や配設位置などに関し、発明の範囲内において種々の応用、変形を加えることが可能である。
【符号の説明】
【００４２】
１          ガスコンロ
２ａ        コンロ部
２ｂ        グリル
２１，２２  コンロバーナ
１０        ガスコンロ本体
１１        前面パネル
１２        スリット
２１，２２  コンロバーナ
３０        トッププレート
３０ａ      トッププレートの前端
３０ｂ      トッププレートの下面
３１        下方突出部
４１（４１ａ，４１ｂ，４１ｃ）    点消火ボタン
４２        電池ケース
５１，５２，５３      火力調節レバー
５１ａ      火力調節レバーを構成するレバー本体部
５１ｂ      火力調節レバーを構成する垂下部
５１ｃ      火力調節レバーを構成する把持部
６１        ガス弁ユニット
６２        ガス弁ユニットに設けたガス量調節用駆動部
６３        弁体制御ロッド
１３０      トッププレートを構成する板状部材
【図１】
0006762648.tif 000002
【図２】
0006762648.tif 000003
【図３】
0006762648.tif 000004